(57)【要約】この発明に係る照明装置は、発光管１０を含む照明装置１００の発光部１１より後側に配置された第一反射鏡２０ａと、光学系の発光部１１より前側に配置された第二反射鏡３０ａとを備えた照明装置１００であって、発光部１１から照明装置の後側に出射される利用可能限界光に対応する第一反射鏡２０ａの反射面５０の直径Ｄ１が、第二反射鏡３０ａの外側面の直径ｄ１よりも大きく、かつ、第二反射鏡３０ａの外側面の直径ｄ１は、利用可能限界光の第一反射鏡２０ａにより反射された光Ｌ１，Ｌ２の内側に入る大きさに設定され、第二反射鏡３０ａの反射面６０が発光部１１の前側ほぼ半分を包囲し、かつ、発光部１１中心から出射されて第二反射鏡３０ａに入る入射光と第二反射鏡３０ａの法線とが一致するように配置されている。
2004020898.tif 000002
【特許請求の範囲】
【請求項１】
電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、
前記発光部の後側に出射される利用可能限界光の前記第一反射鏡の反射面の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、
前記第二反射鏡の反射面が前記発光部の前側ほぼ半分を包囲し、かつ、前記発光部中心から出射されて該第二反射鏡に入る入射光と該第二反射鏡の法線とが一致するように配置されていることを特徴とする照明装置。
【請求項２】
電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、
前記発光部の後側に出射される利用可能限界光の前記第一反射鏡の反射面の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、
前記第二反射鏡は、前記発光部中心から出射されて該第二反射鏡に入る入射光と該第二反射鏡の法線とが一致するように配置されており、
前記電極の先端間距離をＬｅ、前記電極先端間の中心Ｆ１から前記第二反射鏡の反射面の開口端面までの前記照明装置の光軸上の距離をＬｒ、前記第二反射鏡の外側面の開口端部における直径をｄ２、前記第一反射鏡の反射面の開口端部における直径をＤ２、前記電極先端のうち前記第一反射鏡側の電極先端から前記第二反射鏡で遮られずに射出される光と前記照明装置の光軸を前記照明装置の後側へと延長させた直線とに挟まれた角度をθｄ、前記第一反射鏡の反射面の開口端部と前記第一反射鏡側の電極先端とを結ぶ線と前記照明装置の光軸を前記照明装置の後側へと延長させた直線とに挟まれた角度をθｅとして、θｄを式１で近似するとき、
前記第一反射鏡の反射面の開口端部における直径Ｄ２が、θｅ＞θｄとなるような範囲にあることを特徴とする照明装置。
θｄ＝９０度＋ｔａｎ−１｛（Ｌｅ／２＋Ｌｒ）／（ｄ２／２）｝…式１
【請求項３】
電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、
前記発光部の後側に出射される利用可能限界光の前記第一反射鏡の反射面の開口端部の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、
前記第二反射鏡は、前記発光部中心から出射されて該第二反射鏡に入る入射光と該第二反射鏡の法線とが一致するように配置されており、
前記第二反射鏡の反射面の開口端部の直径Ｄ２が、前記電極間で発生するアークの前記第一反射鏡側のアーク端から前記第二反射鏡で遮られずに射出される光の境界光を反射できる大きさであることを特徴とする照明装置。
【請求項４】
前記利用可能限界光は、前記発光管の構造によって定まる限界光であることを特徴とする請求項１乃至３のいずれかに記載の照明装置。
【請求項５】
前記第二反射鏡は前記発光部の外周に対して隙間を有して配置されていることを特徴とする請求項１乃至４のいずれかに記載の照明装置。
【請求項６】
前記第二反射鏡の反射面は、紫外線及び赤外線を通す誘電体多層膜により成形されていることを特徴とする請求項１乃至５のいずれかに記載の照明装置。
【請求項７】
前記第二反射鏡の反射面が、前記封止部の外径より大きな内径を有する管の端面研磨又はプレス成形により形成されてなることを特徴とする請求項１乃至６のいずれかに記載の照明装置。
【請求項８】
前記第二反射鏡の外側面は、その反射面側から入射した光を透過させる態様に成形されていることを特徴とする請求項１乃至７のいずれかに記載の照明装置。
【請求項９】
前記第二反射鏡の外側面は、その反射面側から入射した光を拡散反射させる態様に成形されていることを特徴とする請求項１乃至７のいずれかに記載の照明装置。
【請求項１０】
前記第二反射鏡が、石英、透光性アルミナ、水晶、サファイア、ＹＡＧ、蛍石のいずれかからなることを特徴とする請求項１乃至９のいずれかに記載の照明装置。
【請求項１１】
前記発光部の外周面に反射防止コートを施してなることを特徴とする請求項１乃至１０のいずれかに記載の照明装置。
【請求項１２】
前記第二反射鏡が、前記発光部の近傍において前記封止部の表面に接着剤により固着されていることを特徴とする請求項１乃至１１のいずれかに記載の照明装置。
【請求項１３】
前記接着剤がシリカ・アルミナ混合物又は窒化アルミを含む無機系接着剤であることを特徴とする請求項１２記載の照明装置。
【請求項１４】
前記第二反射鏡が、前記封止部の外周に該外周面に対して隙間を有して巻線されたバネにより前記発光管の発光部近傍に押圧固定されていることを特徴とする請求項１乃至１２のいずれかに記載の照明装置。
【請求項１５】
前記バネを導電性巻線により構成し、該導電性巻線の一端を前記バネが配置されている側と反対側の封止部から出るリード線に接続したことを特徴とする請求項１４記載の照明装置。
【請求項１６】
照明装置と、該照明装置からの光が入射され与えられた画像情報に応じて該入射光を変調する光変調装置を備えたプロジュクタにおいて、
前記照明装置として請求項１乃至１５のいずれかに記載された照明装置を備えたことを特徴とするプロジェクタ。
【請求項１７】
電極間で発光が行われる発光部及び該発光部の両側に位置する封止部を有した発光管と、該発光管の長手方向において前記発光部より後側に配置された主反射鏡として作用する第一反射鏡と、前記発光部より前側に配置された補助反射鏡として作用する第二反射鏡とを備えた照明装置の組み立て方法であって、
前記発光管の電極又は電極間アークの実像と前記第二反射鏡によって反射された前記電極又は前記電極間アークの反射像とを重ねるように前記第二反射鏡と前記発光管の相対位置を調整して、前記発光管と前記第二反射鏡とを固定するステップと、
前記第二反射鏡が固定された前記発光管の電極間中心と前記第一反射鏡の第一焦点とをほぼ一致させて前記第一反射鏡と前記発光管とを配置し、前記第一反射鏡の所定位置における明るさが最大となるように前記発光管と前記第一反射鏡との相対位置を調整して、前記発光管と前記第一反射鏡とを固定するステップと、を備えたことを特徴とする照明装置の組み立て方法。
【請求項１８】
前記発光管と煎記第二反射鏡とを固定するステップは、前記実像と前記反射像とを、少なくとも２方向からカメラによる撮像画像を利用して検出し、それぞれの方向で前記実像と前記反射像とを重ねるように前記第二反射鏡の位置を調整して、前記発光管と前記第二反射鏡とを固定する工程を含むことを特徴とする請求項１７記載の照明装置の組み立て方法。
【請求項１９】
前記所定位置は前記第一反射鏡の設計上の第二焦点であり、前記発光管と前記第一反射鏡とを固定するステップは、前記第一反射鏡の設計上の第２焦点付近における明るさが最大となるように、前記発光管と前記第一反射鏡との相対位置を調整して、前記発光管と前記第一反射鏡とを固定する工程を含むことを特徴とする請求項１７又は１８記載の照明装置の組み立て方法。
【請求項２０】
前記所定位置は前記照明装置を搭載する光学系の照明対象物が配置される位置であり、前記発光管と前記第一反射鏡とを固定するステップは、前記照明装置を前記光学系に組み込み、前記照明対象物が配置される位置における明るさが最大となるように、前記発光管と前記第一反射鏡との相対位置を調整して、前記発光管と前記第一反射鏡とを固定する工程を含むことを特徴とする請求項１７又は１８記載の照明装置の組み立て方法。
【発明の詳細な説明】
【技術分野】  本発明は、発光管及び該発光管からの出射光を反射する反射鏡を有する照明装置、並びにその照明装置を備えたプロジェクタに関する。
【背景技術】  照明装置として、発光管と反射鏡とからなる照明装置が広く用いられている。そのような照明装置において、発光管から放出されても迷光となって使用に供されていなかった光を有効に利用するために、従来は、実開平５−８７８０６号公報（第７ページ、第１図）に記載されているように、発光管に反射膜を成膜することが行われている。また、特開平８−３１３８２号公報（第２ページ、第１図）に記載されているように、発光管を挟んで反射鏡と対向するように第２の反射鏡を備えることも行われている。
【発明の開示】
しかしながら、発光管の前面に反射膜を成膜する方法は、電極間の位置が発光管外面に取り付けた反射膜に対してばらつきを持つため、所望の反射特性が得られない場合や、反射特性が発光管の形状に依存するため所望の反射特性が得られない場合がある。従って、発光管の前面に反射膜を成膜する方法の場合、発光管によっては効果的な光の有効利用が図れないこともある。また、反射膜の代わりに、元々配置されている第１反射鏡に対向させて第２反射鏡を別途備える構成としても、光利用率をより向上させるためには、発光管と第１反射鏡とに関連させて、第２反射鏡の配置や態様をより具体的に特定する必要がある。
本発明は、上記課題に鑑みてなされたもので、発光管と第１反射鏡に対して第２反射鏡の配置及び態様をより具体的に特定して、通常は迷光となってしまうような発光管からの出射光の大部分を利用できるようにする照明装置、並びにその照明装置を利用したプロジェタを提供することを目的とする。さらに、そのような照明装置の組み立て方法を提供することも目的とする。
本発明の照明装置は、電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、前記発光部の後側に出射される利用可能限界光の前記第一反射鏡の反射面の開口端部の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、前記第二反射鏡の反射面が前記発光部の前側ほぼ半分を包囲し、かつ、前記発光部中心から出射されて該第二反射鏡に入る入射光と該第二反射鏡の法線とが一致するように配置されていることを特徴とする。これにより、通常は迷光となってしまうような発光管からの光のほとんどを第一反射鏡に戻して利用に供させることが可能となる。また、発光部から照明装置の後側に出射される光のうち、利用可能範囲内にある光については、第一反射鏡で反射された後、第二反射鏡によって遮断されるのを回避できる。これに加えて次のような効果も得られる。同じ光量を得るに際して第一反射鏡を小さくできる。また、第一反射鏡による集光点径を小さくすることも可能となるため、引き続く光学系に光が入射し易くなり、この点からも光利用効率を向上させることができる。さらに、この構成によると、発光管を第一反射鏡から突出した状態にできるため、照明装置を通過する冷却空気を直接発光管に当てて、そのクーリング性を向上させることもできる。
なお、前記利用可能限界光は、前記発光管の構造によって定まる限界光とすることができる。この場合には、発光部から照明装置の後側に出射される光のほぼ全てが利用できることになる。
本発明の他の照明装置は、電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、前記発光部の後側に出射される利用可能限界光の前記第一反射鏡の反射面の開口端部の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、前記第二反射鏡は、前記発光部中心から出射されて該第二反射鏡に入る入射光と該第二反射鏡の法線とが一致するように配置されており、前記電極の先端間距離をＬｅ、前記電極先端間の中心Ｆ１から前記第二反射鏡の反射面の開口端面までの前記照明装置の光軸上の距離をＬｒ、前記第二反射鏡の外側面の開口端部の直径をｄ２、前記第一反射鏡の反射面の開口端部の直径をＤ２、前記電極先端のうち前記第一反射鏡側の電極先端から前記第二反射鏡で遮られずに射出される光と前記照明装置の光軸を前記照明装置の後ろ側へと延長させた直線とに挟まれた角度をθｄ、前記第一反射鏡の反射面の開口端と前記第一反射鏡側の電極先端とを結ぶ線と前記照明装置の光軸を前記照明装置の後側へと延長させた直線とに挟まれた角度をθｅとして、θｄを、
θｄ＝９０度＋ｔａｎ−１｛（Ｌｅ／２＋Ｌｒ）／（ｄ２／２）｝
として近似するとき、前記第一反射鏡の反射面の開口端部の直径Ｄ２が、θｅ＞θｄとなるような範囲にあることを特徴とする。
第一反射鏡の反射面の開口端部の直径をこのようにすることで、第二反射鏡で反射されずに前方に出射した光も利用可能となる。
またさらに、本発明の他の照明装置は、電極間で発光が行われる発光部及び該発光部の両側に位置する封止部を有した発光管と、該発光管の長手方向において前記発光部より後側に配置された第一反射鏡と、前記発光部より前側に配置された第二反射鏡とを備えた照明装置であって、前記発光部の後側に出射される利用可能限界光の前記第一反射鏡の反射面の開口端部の直径Ｄ１が、前記第二反射鏡の外側面の直径ｄ１よりも大きく、かつ、前記第二反射鏡の外側面の直径ｄ１は、前記利用可能限界光の前記第一反射鏡により反射された光の内側に入る大きさに設定され、前記第二反射鏡は、前記発光部中心から出射されて該第二反射鏡に入る入射光と該第二反射鏡の法線とが一致するように配置されており、前記第二反射鏡の反射面の開口端部の直径Ｄ２が、前記電極間で発生するアークの前記第一反射鏡側のアーク端から前記第二反射鏡で遮られずに射出される光の境界光を反射できる大きさであることを特徴とする。
第一反射鏡の反射面の開口端部の直径をこのようにすることで、第二反射鏡で反射されずに前方に出射した光も利用可能となり、且つ、第一反射鏡の反射面の開口端部の直径を最小限に設定することができる。
また、前記照明装置において、前記第二反射鏡は前記発光部の外周に対して隙間を有して配置されていることが好ましい。これによれば、発光部中心から出射されて該第二反射鏡に入る入射光と該第二反射鏡の法線とが一致させる際に、前記隙間を調整幅として発光部と第二反射鏡との相対位置を調整することができる。また、この隙間により第二反射鏡と発光部の間に熱がこもらないので発光部の過度な温度上昇を抑制することが可能となる。
また、前記照明装置において、前記第二反射鏡の反射面は、紫外線及び赤外線を通す誘電体多層膜により成形されていることが好ましい。これにより、可視光だけを第一反射膜へと反射させるため紫外線及び赤外線等による発光部および第一反射鏡の反射面さらにこの照明装置から出射される光を入射する光学部品等の劣化を防止できる。また、第二反射鏡は実際の照明に利用される可視光を効率よく反射できるので、照明装置の照度を向上させることができる。
また、前記照明装置において、前記第二反射鏡の反射面を、前記封止部の外径よリ大きな内径を有する管の端面研磨又はプレス成形により形成することが好ましい。これによれば、反射面の加工の複雑な手間を低減できる。
なお、前記照明装置において、前記第二反射鏡の外側面は、その反射面側から入射した光を透過させる態様、あるいは、その反射面側から入射した光を拡散反射させる態様に成形して、第二反射鏡に光が吸収されないようにするのが好ましい。これにより、第二反射鏡の反射面から入射してきた赤外線等の光による第二反射鏡の温度上昇を防止できる。
さらに、前記照明装置において、前記第二反射鏡を、石英、透光性アルミナ、水晶、サファイア、ＹＡＧ、蛍石のいずれかから製作することが好ましい。これらの材料は、熱伝導性が良好なため温度分布を均一化でき、あるいは低熱膨張ゆえに耐熱性に優れ、しかも赤外線及び紫外線の透過性に優れた第二反射鏡を得ることができる。
また、前記照明装置において、前記発光部の外周面に反射防止コートを施すことが好ましい。これにより、第二反射鏡を経由する光の発光部での反射による光損出を低減できる。
また、前記照明装置において、前記第二反射鏡が、前記発光部の近傍において前記封止部の表面に接着剤により固着されていることが好ましい。これにより、発光部からの射出され第一反射鏡から反射されて来る光や発光部から射出され第二反射鏡を透過して来る光などの遮断を出来るだけ少なくして、第二反射鏡を発光管に固定することが可能となる。
また、前記接着剤をシリカ・アルミナ混合物又は窒化アルミを含む無機系接着剤とすると、それらの熱伝導率が良好なため、第二反射鏡や発光管の温度の不均一分布を抑制することが可能となる。
また、前記照明装置において、前記第二反射鏡が、前記封止部の外周に該外周面に対して隙間を有して巻線されたバネにより前記発光管の発光部近傍に押圧固定されていることが好ましい。これによれば、発光管が熱により膨張しても上記隙間によりその熱的変形を吸収できる。
なお、前記バネを導電性巻線から構成し、該バネが配置されている側と反対側の封止部から出るリード線に接続すると、前記バネを点灯性を向上させる絶縁破壊のためのトリガ線として利用することができる。
本発明のプロジェクタは、照明装置からの光が入射され与えられた画像情報に応じて該入射光を変調する光変調装置を備えたプロジュクタにおいて、前記照明装置として上記のいずれかに記載された照明装置を備えたことを特徴とする。これにより、小型で高輝度のプロジェクタが得られることになる。
本発明の照明装置の組み立て方法は、電極間で発光が行われる発光部及び該発光部の両側に位置する封止部を有した発光管と、該発光管の長手方向において前記発光部より後側に配置された主反射鏡として作用する第一反射鏡と、前記発光部より前側に配置された補助反射鏡として作用する第二反射鏡とを備えた照明装置の組み立て方法であって、前記発光管の電極又は電極間アークの実像と前記第二反射鏡によって反射された前記電極又は前記電極間アークの反射像とを重ねるように前記第二反射鏡と前記発光管の相対位置を調整して、前記発光管と前記第二反射鏡とを固定するステップと、前記第二反射鏡が固定された前記発光管の電極間中心と前記第一反射鏡の第一焦点とをほぼ一致させて前記第一反射鏡と前記発光管とを配置し、前記第一反射鏡の所定位置における明るさが最大となるように前記発光管と前記第一反射鏡との相対位置を調整して、前記発光管と前記第一反射鏡とを固定するステップと、を備えたことを特徴とする。
また、上記照明装置の組み立て方法において、前記発光管と前記第二反射鏡とを固定するステップは、前記実像と前記反射像とを、少なくとも２方向からカメラによる撮像画像を利用して検出し、それぞれの方向で前記実像と前記反射像とを重ねるように前記第二反射鏡の位置を調整して、前記発光管と前記第二反射鏡とを固定する工程を含むことが好ましい。
また、上記照明装置の組み立て方法において、前記所定位置は前記第一反射鏡の設計上の第二焦点であり、前記発光管と前記第一反射鏡とを固定するステップは、前記第一反射鏡の設計上の第２焦点付近における明るさが最大となるように、前記発光管と前記第一反射鏡との相対位置を調整して、前記発光管と前記第一反射鏡とを固定する工程を含むことが好ましい。
さらに、上記照明装置の組み立て方法において、前記所定位置は前記照明装置を搭載する光学系の照明対象物が配置される位置であり、前記発光管と前記第一反射鏡とを固定するステップは、前記照明装置を前記光学系に組み込み、前記照明対象物が配置される位置における明るさが最大となるように、前記発光管と前記第一反射鏡との相対位置を調整して、前記発光管と前記第一反射鏡とを固定する工程を含むことが好ましい。
これらにより、光利用率をより向上させた第二反射鏡を配する照明装置を組み立てることができる。
【図面の簡単な説明】
【図１】  本発明の実施形態１に係る照明装置の構成図。
【図２】  図１の照明装置の作用説明図。
【図３】  第二反射鏡の有無による第一反射鏡の反射面の直径の比較説明図。
【図４】  第二反射鏡の有無による照明装置の集光スポット径の比較説明図。
【図５】  本発明の実施形態２に係る照明装置の光製図及び作用図。
【図６】  本発明の実施形態３に係る照明装置の構成図。
【図７】  発光管と第二反射鏡との位置決め方法説明図。
【図８】  発光管と第一反射鏡との位置決め方法説明図。
【図９】  本発明の実施形態４に係る照明装置の構成図。
【図１０】  本発明の実施形態５に係る照明装置の構成図。
【図１１】  上記実施形態に係る照明装置を備えたプロジェクタの構成図。
【発明を実施するための最良の形態】  以下、本発明の実施形態を図を参照しながら説明する。なお、各図中、同じ符号は同一物または相当物を示しているのとする。
（実施形態１）
図１は本発明の実施形態１に係る照明装置１００の構成図、図２は図１の装置１００の作用説明図である。この照明装置１００は、発光管１０と、照明装置１００の主反射鏡である第一反射鏡２０ａと、照明装置１００の補助反射鏡である第二反射鏡３０ａとを備える。発光管１０は、石英ガラス等からなり、内部にタングステンの電極１２，１２と、水銀、希ガス及び少量のハロゲンが封入された中央の発光部１１と、発光部１１の両側の封止部１３，１３からなる。各封止部１３には、電極１２と接続されたモリブデンからなる金属箔１４が密封され、各金属箔１４，１４には外部につなげられるリード線１５，１５がそれぞれ設けられている。これらのリード線１５，１５の接続先は従来からの構成と同じでよく、例えば、図示していない照明装置固定具等に設けられた外部との接続端子に接続される。
なお、発光部１１の外周面には、タンタル酸化膜、ハフニウム酸化膜、チタン酸化膜等を含む多層膜の反射防止コートを施しておくと、そこを通過する光の反射による光損出を低減することができる。
第一反射鏡２０ａの反射面５０は回転曲線形状であり、Ｆ１，Ｆ２は第一反射鏡２０ａの反射面５０の回転曲線の第１焦点と第２焦点を示し、ｆ１，ｆ２は第一反射鏡２０ａの反射面５０の回転曲線の頂点から第１焦点Ｆ１と第２焦点Ｆ２までの距離を表している。なお、第一反射鏡２０ａの反射面５０は回転楕円面形状または回転放物面形状などを採用できる。第一反射鏡２０ａは、発光管１０を含むこの照明装置１００において、発光管１０の後側に配置されている反射素子で、その後側の端部中心部に、発光管１０を固定するための貫通穴２１を備えている。発光管１０は、この第一反射鏡２０ａの貫通穴２１に、発光管１０の軸と第一反射鏡２０ａの軸とを一致させて、セメントなどの無機系接着剤２２により固着されている。発光管１０の軸とは発光管１０の長手方向の中心軸であり、ほぼ電極１２，１２方向と一致している。また、第一反射鏡２０ａの軸とは第一反射鏡２０ａの反射面５０を構成する回転曲線の回転軸であり、ほぼ照明装置１００から射出される光束の中心軸と一致している。なお、発光管１０の発光部１１中心（電極１２，１２間の中心）は、第一反射鏡２０ａの反射面５０が回転楕円面形状の場合、その第一焦点（Ｆ１）に一致又はその近傍に位置させ、第一反射鏡２０ａの反射面５０が回転放物面の場合には、その焦点Ｆに一致又はその近傍に位置させている。すなわち、発光部１１の中心が、第一反射鏡２０ａの焦点Ｆ１又はＦ付近に、或いは焦点Ｆ１又はＦの位置にほぼ一致して、配置されている。
第二反射鏡３０ａは、発光管１０を含むこの照明装置１００において、発光管１０の前側に配置されている反射素子で、その反射面６０が発光部１１の前側ほぼ半分を包囲し、かつ、発光部１１の中心から射出されてこの第二反射鏡３０ａの反射面６０に入る入射光と該第二反射鏡３０ａの反射面６０における法線とが一致するように配置されているものである。ここで、第二反射鏡３０ａは、接着剤３１により封止部１３に固定されている。発光部１１の構造（電極１２間の位置、発光部１１の各部の形状など）は、製造バラツキなどにより発光管１０毎にそれぞれ異なるため、第二反射鏡３０ａの反射面６０の形状は、発光部１１との関係に応じて、発光管１０毎にそれぞれ定めるのが好ましい。
さらに、第二反射鏡３０ａは、約９００〜１０００℃度の高温に晒されることになるため、低熱膨張性、あるいは熱伝導性に優れた材料で製造されることが必要となる。このため、第二反射鏡３０ａは、例えば、低熱膨張材である石英又はネオセラムや、高熱伝導材である透光性アルミナ、サファイア、水晶、蛍石、ＹＡＧ等を利用して製作される。透光性アルミナとしては、例えば、商品「スミコランダム」（スミコランダムは住友化学工業の登録商標）が利用できる。
第二反射鏡３０ａの反射面６０は、照明に利用される可視光のみを反射させ、照明に不要な紫外線及び赤外線を通過させることができれば、第二反射鏡３０ａに生じる発熱を少なくできる。そのため、ここでは可視光のみを反射させ、紫外線及び赤外線を通過させる誘電体多層膜を、第二反射鏡３０ａの反射面６０に積層している。この誘電体多層膜も耐熱性が必要とされ、例えば、タンタル化合物とＳｉＯ２の交互積層、又はハフニウム化合物とＳｉＯ２の交互積層等から構成できる。以上の各要素を加味すると、低熱膨張性を有し、あるいは熱伝導性に優れ、しかも紫外線及び赤外線を透過しやすい材料として、石英、透光性アルミナ、水晶、サファイア、ＹＡＧ（Ｙ３Ａｌ５Ｏ１２）、蛍石等が挙げられ、それらのいずれかから第二反射鏡３０ａを製作するのが好ましい。
なお、第二反射鏡３０ａの外側面８０は、その反射面６０で反射されずに入射した光（赤外線、紫外線、反射面６０側から漏れてきた可視光など）を透過させるように、あるいは、その反射面６０で反射されずに入射した光を拡散反射させるような反射膜や形状を備えるように成形して、第二反射鏡３０ａができるだけ光を吸収しないようにしておく。
さらに、図１に示すように、発光部１１からこの第一反射鏡２０ａ側すなわち照明装置１００の後側に出射する利用可能限界光Ｌ１，Ｌ２によって示される円錐の第一反射鏡２０ａの反射面５０の直径Ｄ１が、第二反射鏡３０ａの外側面８０の直径ｄ１よりも大きくなるように、かつ、第二反射鏡３０ａの外側面８０の直径ｄ１が、利用可能限界光Ｌ１，Ｌ２の第一反射鏡２０ａにより反射された光によって形成される円錐の内側に入る大きさとなるように、第二反射鏡３０ａの外側面８０の直径ｄ１が設定される。こうすることで、発光部１１から照明装置１００の後側に出射される光のうち、利用可能範囲内にある光については、第一反射鏡２０ａで反射された後、第二反射鏡３０ａによって遮断されることなく進むことができる。
ところで、利用可能限界光Ｌ１，Ｌ２とは、発光部１１からこの照明装置１００の後側に出射される光のうち、照明光として実際に利用できる範囲の内側境界に対応する光をいい、発光管１０の構造によって定まる場合と、第一反射鏡２０ａの構造によって定まる場合とがある。発光管１０の構造によって定まる利用可能限界光とは、発光部１１から第一反射鏡２０ａ側すなわち後側に出射し封止部１３等の影響により遮断されず有効光として出射される光のうち、封止部１３等の影響により光が遮断される光との境界の有効光である。また、第一反射鏡２０ａの構造によって定まる利用可能限界光とは、発光部１１から第一反射鏡２０ａ側すなわち照明装置１００の後側に出射し封止部１３等の影響により遮断されず有効光とし出射され光のうち、第一反射鏡２０ａの貫通孔２１の存在等による第一反射鏡２０ａに起因して反射面５０で反射することができず照明光として利用し得なくなる光との境界の有効光である。なお、上記利用可能限界光を、発光管１０の構造によって定まる限界光とした場合、本実施形態によれば、発光部１１から照明装置１００の後側に出射される光のほぼ全てが利用できることになる。
なお、第二反射鏡３０ａの外側面８０の直径ｄ１が大きくなると、第一反射鏡２０ａにより反射された後に、前方に進行する光の遮断が多くなるため光の利用率が低下する。従って、光の利用率低下を回避するために、第二皮射鏡３０ａの外側面８０の直径ｄ１はできるだけ小さくするべきである。
また、発光部１１の外周面と第二反射鏡３０ａの反射面６０との間には、光源像と反射像の位置関係を調整するために発光部１１に対して第二反射鏡３０ａの位置調整ができる程度の間隔、すなわち０．２ｍｍ以上の隙間Ａを設けるのがよい。これにより、光源像と反射像を一致させるように発光部１１と第二反射鏡３０ａとの相対位置を調整することが可能であり、且つ、第二反射鏡３０ａで覆われている側の発光部１１及び発光管１０の放熱が確保され、発光管１０の過度な温度上昇を抑制することができる。従って、温度上昇に起因する電極１２の消耗、発光部１１を含む発光管１０の白濁や膨張を抑制できる。
以上述べたように、本実施形態の照明装置１００によれば、図２に示すように、発光管１０の発光部１１から後側へと出射する光Ｌ１、Ｌ２、Ｌ５，Ｌ６は、第一反射鏡２０ａにより反射されて照明装置１００の前方に向かう。また、発光部１１から前側へと出射する光Ｌ３、Ｌ４は、第二反射鏡３０ａの反射面６０により反射されて第一反射鏡２０ａに戻った後、第一反射鏡２０ａにより反射されて照明装置１００の前方に向かう。これにより、発光部１１から出射する光のほとんどを利用することができる。
さらに、本実施形態の照明装置１００は、第二反射鏡３０ａを用いることにより第一反射鏡２０ａの反射面５０の直径Ｄ４を第二反射鏡を用いない照明装置と比較して小さくできる。
これについて図３を参照して説明する。図３（ａ）は第二反射鏡を用いない照明装置１００ｅを示し、図３（ｂ）は第二反射鏡３０ａを用いた照明装置１００を示す。第一反射鏡２０ｂ，２０ａの反射面５１，５０の回転楕円面の第１焦点距離ｆ１及び第２焦点距離ｆ２は共に等しい。図３（ｂ）に示すように、第二反射鏡３０ａを用いた場合は、発光部１４１から前側へ出射される光を第二反射鏡３０ａにて反射し第一反射鏡２０ａの反射面５０へと入射させることができるので、第一反射鏡２０ａの反射面５０の開口端部の直径Ｄ４は、第二反射鏡３０ａを用いない場合の第一反射鏡２０ｂの反射面５１の開口端部の直径Ｄ３よりも小さくすることができる（Ｄ４＜Ｄ３）。しかし、ｆ２／ｆ１の倍率関係は変わらないので、これらの場合の集光スポット径は同一となって、光学系の効率の変化はない。
またさらに、本実施形態の照明装置１００は、第二反射鏡３０ａを用いることにより照明装置の集光スポット径を第二反射鏡を用いない照明装置と比較して小さくできる。
まず、集光スポット径について説明する。発光部１１のアークが点であるなら集光スポットは点となり、反射面の開口端部の直径が同一である第一反射鏡において焦点距離を変化させても集光スポット径の大きさは変化しない。しかし、現実的にはアークは有限である。図４（ｂ）に示すように、有限であるアークの直径をＬＬとし、そのときの集光スポットの直径をφとし、第一反射鏡２０ｃの反射面５２の回転曲線の頂点から第一焦点までの距離をｆ１’とし、第一反射鏡２０ｃの反射面５２の回転曲線の頂点から第二焦点までの距離をｆ２’とすると、集光スポットの直径φはアークの直径ＬＬとｆ２’／ｆ１’の積によって決まる。従って、反射面の開口端部の直径Ｄ３が同一である図４（ａ）の第一反射鏡２０ｂと図４（ｂ）の第一反射鏡２０ｃにおいて、第一反射鏡２０ｂの反射面５１の焦点ｆ１，ｆ２と、第一反射鏡２０ｃの反射面５２の焦点ｆ１’，ｆ２’との倍率関係は（ｆ２／ｆ１）＞（ｆ２’／ｆ１’）となるので、図４（ｂ）の第一反射鏡２０ｃの集光スポット径の方が図５（ａ）の集光スポット径より小さくなる。ここで、図４（ａ）の第一反射鏡２０ｂの焦点距離ｆ１、ｆ２を図４（ｂ）の第一反射鏡２０ｃの焦点距離ｆ１’，ｆ２’に近づけるにつれて、第一反射鏡２０ｂの反射面５１に入射しない光が多くなっていき照明効率が劣化する。しかし、第二反射鏡３０ａを備える図４（ｂ）の照明装置１００ｆは、第二反射鏡３０ａにより光の損失を防ぎ、集光スポット径が小さくすることで照明装置１００ｆに引き続く光学系に入射しやすくなり、且つ、発光部１１から出射する光の利用効率を向上させることができる。
（実施形態２）
図５（ａ）は、本発明の実施形態２に係る照明装置１００Ａの構成図及び作用図である。この照明装置１００Ａの構成は基本的に図１の照明装置１００と同じであり、図１の照明装置１００との相違点は、照明装置１００の第一反射鏡２０ａの反射面５０の焦点距離ｆ１より照明装置１００Ａの第一反射鏡２０ｄの反射面５３の焦点距離ｆ１Ａの方が大きく（ｆ１＜ｆ１Ａ）、照明装置１００の第一反射鏡２０ａの反射面５０の焦点距離ｆ２より照明装置１００Ａの第一反射鏡２０ｄの反射面５３の焦点距離ｆ２Ａの方が小さい（ｆ２＞ｆ２Ａ）点である。図中、ｆ１Ａは第一反射鏡２０ｄの反射面５３の回転曲線の頂点から第１焦点Ｆ１Ａまでの距離を表し、ｆ２Ａは第一反射鏡２０ｄの反射面５３の頂点から第２焦点Ｆ２Ａまでの距離を表している。これにより、第一反射鏡２０ｄの反射面５３の開口端部の直径Ｄ５は図１の第一反射鏡２０ａの反射面５０の開口端部の直径Ｄ４より大きくなるが、照明装置１００Ａの第２焦点Ｆ２Ａにおける集光スポット径は、照明装置１００の第２焦点Ｆ２における集光スポット径より小さくなる。従って、照明装置１００Ａからの出射光が引き続く光学系に入射し易くなり、光利用率の向上により貢献できる。
また、より輝度の大きい発光管などの形状の大きな発光管１０Ａを使用する場合、発光管１０Ａが大きくなったことに伴い第二反射鏡の形状も大きくしなければならない。その結果、図５（ｂ）の照明装置１００は、発光管１０Ａの構造によって定まる利用可能限界光Ｌ１，Ｌ２の第一反射鏡２０ａからの反射光を第二反射鏡３０ｃによって遮ってしまう。しかし照明装置１００Ａは焦点距離ｆ１よりも焦点距離ｆ１Ａが大きいので、発光管１０Ａの構造によって定まる利用可能限界光Ｌ１，Ｌ２で示される円錐の第二反射鏡２０ｄの反射面５３の直径Ｄ６が、照明装置１００の第二反射鏡２０ａの反射面５０の直径Ｄ７より大きくなるから、利用可能限界光Ｌ１，Ｌ２の第一反射鏡２０ｄからの反射光を第二反射鏡３０ｂが遮ることなく有効光として利用でき、高輝度である大電力の発光管からの光の利用効率を向上できる。
さらに、発光部１１Ａから発生する熱量が同じである場合、第一反射鏡２０ｄが輻射熱を受ける面積は、第一反射鏡２０ａが輻射熱を受ける面積と焦点距離の比率であるｆ１Ａ／ｆ１の２乗の積によってきまるから、第一反射鏡２０ｄの受ける単位面積あたりの輻射熱は、ｆ１Ａ／ｆ１の２乗に反比例する。従って、本実施形態の照明装置１００Ａは、第一反射鏡２０ｄの単位面積あたりで受ける発光管１０Ａからの輻射熱が第一反射鏡２０ａよりも少ないので、第一反射鏡２０ｄの温度上昇を防止できる。
（実施形態３）
図６は、本発明の実施形態３に係る照明装置１００Ｄの構成図である。この照明装置１００Ｄの図１と同じ部分については同じ符号を用いて説明は省略し、相違する点を以下で説明する。ここでは、上記実施形態１又は実施形態２とは異なり、第二反射鏡３０ｃの反射面６２の開口端部の先端が電極１２，１２の間の中心位置まで届いていない状態の場合に、第一反射鏡２０ｅが担うべき光の反射領域の範囲を定めたものである。図６において、電極１２，１２の先端間距離をＬｅ、電極１２，１２の先端間の中心Ｆ１（第一反射鏡２０ｅの第一焦点）から第二反射鏡３０ｂの開口端面までの光軸上の距離をＬｒ、第二反射鏡３０ｂの外側面の開口端部の直径をｄ２、第一反射鏡２０ｅの反射面５４の開口端部の直径をＤ２、照明装置１００Ｄから射出される光の中心軸すなわち照明装置１００Ｄの光軸をＡ、一対の電極１２，１２のうち第一反射鏡２０ｅ側の電極１２先端から第二反射鏡３０ｂで遮られずに射出される光の境界光であるＬ７と照明装置１００Ｄの光軸Ａを照明装置１００Ｄの後側へと延長させた直線とに挟まれた角度θｄとする。図６においてθｄは、第一反射鏡２０ｅ側の電極１２より後側の光軸延長線Ａから右回りで境界光Ｌ７までの角度である。これによれば、角度θｄを下記式１で近似できる。
θｄ＝９０度＋ｔａｎ−１｛（Ｌｅ／２＋Ｌｒ）／（ｄ１／２）｝…式１
ここで、発光管１０はガラスにより形成されているため、実際のアーク像から射出した光は発光管１０のガラス形状により屈折し、その結果発光管１０外部からみたアーク像は実際のアーク像よりも大きく見えたり、実際のアーク像の位置から移動しているように見える場合がある。言い換えると、たとえ第一反射鏡２０ｅ側の電極１２から射出した光であっても、発光管１０のガラス部分を透過する際に屈折して、第一反射鏡２０ｅの反射領域でない部分に射出され照明光として利用されない光となってしまうことがある。そこで、第一反射鏡２０ｅの反射面５４の開口端Ｂと第一反射鏡側の電極の先端とを結ぶ線Ｃと光軸Ａの後側へと延長された直線とに挟まれた角度をθｅとしたとき、θｅをθｄより大きく設定することにより、発光部１１から射出されるより多くの光を有効照明光として利用できる。図６においてθｅは、第一反射鏡２０ｅ側の電極１２より後側の光軸の延長線Ａから右回りで線Ｃまでの角度である。
さらに、発光部１１から射出される光は、電極１２，１２間からの光だけでなく、実際のアーク像は、電極１２の先端に重なっているため、電極１２の先端間よりも外側から射出する光も存在する。従ってθｄだけで第一反射鏡２０ｅの反射面５４の開口端部の直径Ｄ２を決定すると、第一反射鏡２０ｅ側の電極１２に重なった部分のアーク像からの射出した光であるＬ８は、第一反射鏡２０ｅの反射領域でない部分に射出され照明光として利用されない光となってしまう。そこで、第一反射鏡２０ｅ側のアーク端Ｌｏから第二反射鏡３０ｂで遮られずに射出される光の境界光であるＬ８と第一反射鏡２０ｅの反射面５４の延長線との交点を第一反射鏡２０ｅの開口端Ｂとすることによって、アーク端Ｌｏから射出される光Ｌ８をも有効光として利用できる。またさらに、第一反射鏡２０ｅの開口端をＬ８をも反射できるように設定すると、電極１２の先端から射出され発光管１０のガラス部分で屈折した光も第一反射鏡２０ｅで反射することもでき、発光部１１からの射出されるより多くの光を有効照明光として利用でき、且つ、必要最小限の第一反射鏡２０ｅの反射面５４の開口端部の直径を選択できる。
例えば、第一反射鏡２０ｅの反射面５４の開口端部の直径Ｄ２を、θｄからθｄ＋１０度までの光線を反射する範囲にすると、発光部１１から射出される光のほぼ全てが利用可能となる。
（照明装置の製造について）
次に、照明装置１００，１００Ａ，１００Ｄの製造手順について説明する。以下は第一反射鏡２０ａを有する照明装置１００について説明しているが、照明装置１００Ａ，１００Ｄも同様の手順で製造できる。まず始めに、各発光管１０毎に、発光管１０及び第一反射鏡２０ａの構造に関するデータを収集する。このデータには、発光部１１内の電極間距離、発光管１０の各部形状及び寸法、第一反射鏡２０ａの形状及び寸法、第一反射鏡２０ａの焦点（第一反射鏡が楕円形状の場合には、第１焦点及び第２焦点）を含める。続いて、これらのデータを基に、各発光管１０の発光部１１からの光の出射状態を、コンピュータなどを利用してシミュレーションする。次に、発光部１１からの光の出射状態シミュレーションを基に、各発光管１０に対応した第二反射鏡３０の設計を行う。この設計もまた、コンピュータシミュレーションなどを利用して行うことができ、そのようなシミュレーションを通して、既に説明した第二反射鏡３０ａとしての作用を果たすことが可能な形状（外径、内径、及び反射面形状など）が決定される。そして、その設計に基づいて、各発光管１０に対応した第二反射鏡３０ａを製作する。このようにして製作された第二反射鏡３０ａの反射面６０が発光部１１の前側ほぼ半分を包囲し、かつ、発光部１１の中心から出射されて第二反射鏡３０ａに入る入射光と第二反射鏡３０の反射面６０の法線とが一致するように調整しながら、第二反射鏡３０ａを発光管１０の封止部１３の一方に取り付ける。これにより、発光部１１における電極間での実際のアーク像及び光が発光管１０のガラス部を透過する際の屈折を考慮した形状を有する第二反射鏡３０ａを製作でき、さらに、実際に発光部１１から射出される光にあわせた第二反射鏡３０ａの位置調整を行なうことができる。
なお、第二反射鏡３０ａは、その構造上、発光管１０の封止部１３外径より大きな内径を有する中空の管材から製作することができる。この場合において、誘電体多層膜が成膜される第二反射鏡３０ａの反射面６０は、肉厚部の研磨により形成することができる。第二反射鏡３０ａを製作する際の研磨は、その反射面６０が中空となっているので、通常の球面研磨のような複雑な研磨制御が不要となるという利点を有している。また、第二反射鏡３０ａは、上記管材のプレス成形によっても製作可能である。プレス成形は極めて単純であり、製造コストを大きく低減できる。
また、第二反射鏡３０ａの発光管１０への取り付けは、以下のような方法で実行できる。（１）ＣＣＤカメラ等で電極１２，１２間を観察しつつ、発光部１１の前側半分と第二反射鏡３０ａの反射面６０が対向するようにして、第二反射鏡３０ａを発光管１０の封止部１３に仮固定する。次に、（２）複数の異なる方向からＣＣＤカメラ等で第二反射鏡３０ａの反射面６０を観察しながら、その反射面６０に写る電極１２，１２間の像が、本来の電極間（物点）に入り込むように、第二反射鏡３０ａの位置を調整する。（３）調整終了後、第二反射鏡３０ａを発光管１０の封止部１３に固定する。なお、上記（２）に対応する第二反射鏡３０ａの仮固定後の調整は、次のようにしても可能である。すなわち、極細のレーザービームを複数の異なる方向から電極１２，１２間を通して第二反射鏡３０ａの反射面６０に照射し、第二反射鏡３０ａからの反射ビーム光の位置とその広がり具合が一致するように、第二反射鏡３０ａの位置を調整しても、ＣＣＤカメラを用いたのと同じ結果が得られる。これらにより、第二反射鏡３０ａによる反射光を正確に電極１２，１２間に戻し、さらに第一反射鏡２０ａに戻すことが可能となる。
ここでは、発光管１０、第一反射鏡２０ａ、及び第二反射鏡３０ａのアライメント方法を更に詳細に説明する。
まず、発光管１０の電極１２，１２又は電極間アーク（点灯時のアーク）の実像と第二反射鏡面３０ａによるそれらの反射像とを重ねるように第二反射鏡３０ａの位置を調整して、発光管１０と第二反射鏡３０ａとを固定する。この場合、図７に示すように、上記実像と上記反射像とを、少なくとも２方向からカメラ（ＣＣＤカメラ等）による撮像画像を利用して検出し、それぞれの方向でそれらの実像と反射像とを重ねるように第二反射鏡３０ａの位置を調整して、発光管１０と第二反射鏡３０ａとを固定することができる。図７では、（ａ）がＣＣＤカメラを使って２方向から撮影するイメージ図、（ｂ）が電極の実像と反射像とを重ねる概念図、（ｃ）が点灯時の電極間アークの実像と反射像とを重ねる概念図を示している。なお、調整方向を多くすれば、それだけ精度よく位置決めできる。
次に、上記のようにして第二反射鏡３０ａが固定された発光管１０の電極間中心に第一反射鏡２０ａの第一焦点をほぼ一致させて第一反射鏡２０ａと発光管１０とを配置し、所定位置における明るさが最大となるように第一反射鏡２０ａに対する発光管１０の位置を調整して、適正な位置で発光管１０と第一反射鏡２０ａとを固定する。この場合、図８に示すように、設計上の集光スポット付近に受光器を配置し、第一反射鏡２０ａからの出射光を受光器によって測定しながら設計上の集光スポットでの明るさが最大となるように、ｘ、ｙ、ｚの３軸方向にそれぞれ発光管１０と第一反射鏡２０ａとの相対位置を調整して、発光管１０と第一反射鏡２０ａとを固定することができる。なお、図８では受光器を用いて明るさを測定しているが照度が測定できればほかの方法を用いてもよい。これにより、所定の位置における照度が最も大きくなるような発光管１０と第一反射鏡２０ａとの相対位置関係を有する照明光学系３００を製造することができる。
この他、照明装置１００が搭載される光学系たとえば、図１１に示されるような照明光学系３００に組み込み、照明光学系３００の照明対象物である液晶パネル４１０Ｒ，４１０Ｇ，４１０Ｂが配置される位置における明るさが最大となるように、ｘ、ｙ、ｚの３軸方向にそれぞれ発光管１０と第一反射鏡２０ａとの相対位置を調整して、発光管１０と第一反射鏡２０ａとを固定してもよい。これにより、照明装置１００と照明対象物との間に存在する光学系との関係も含んだ発光管１０と第一反射鏡２０ａとの最適な相対位置関係を有する照明装置１００を搭載する光学系３００を製造することができる。
なお、上記ｚ軸とは照明装置１００の光軸と平行な方向であり，Ｘ軸とｙ軸とはｚ軸の垂直な面において直角に交わりあう２軸である。
以上の２つのステップによって、発光管１０、第一反射鏡２０ａ、及び第二反射鏡３０ａのアライメントを行うことで、第二反射鏡３０ａを配した照明装置１００の光利用率をより向上させることができる。
なお、第二反射鏡３０ａの発光管１０への固定は、第二反射鏡３０ａを発光管１０の封止部１３へ固着することで行う。その固着は、例えば、従来から知られているセメントを用いた接着に加え、前述したような高温度に耐えうるシリカ・アルミナ混合物又は窒化アルミを含む無機系接着剤とすると、熱伝導率の良好さゆえ、第二反射鏡３０ａや発光管１０の温度の不均一分布を抑制することができる。なお、接着剤の具体的な例としては、商品「スミセラム」（朝日化学工業（株）製造、スミセラムは住友化学工業の登録商標）が挙げられる。また、発光管１０と第二反射鏡３０ａの固定のための接着剤の塗布は、滴接着（点塗布）により行う。塗布量を多くする場合には、滴接着ポイント数を増やす。こうすることで、接着剤の量を管理しやすくなるからである。
また、第二反射鏡３０ａは、発光部１１になるべく近い場所の封止部１３表面に配置すると、発光部１１からの射出された後第一反射鏡２０ａにより反射されて来る光や、発光部１１から射出された後第二反射鏡３０ａを透過して来る光などの遮断をできるだけ少なくできる。また、接着剤の塗布領域も、発光部１１からの射出された後第一反射鏡２０ａにより反射されて来る光や、発光部１１から射出された後第二反射鏡３０ａを透過して来る光などの遮断をできるだけ少なくできる範囲内に留めるものとする。
（実施形態４）
図９は本発明の実施形態４に係る照明装置１００Ｂの構成図である。照明装置１００とは発光管１０と第二反射鏡３０ｄとの固定方法のみが異なる。これは、封止部１３の外周に該外周面に対して隙間を有して巻線されたバネ４０を利用して、第二反射鏡３０ｄを封止部１３に設けた突出部１６に押圧固定したものである。突出部１６は発光管１０とは別に形成されたもので、発光部１１の外周と第二反射鏡３０ｄの反射面６３との間に０．２ｍｍ以上の隙間Ａを確保できる位置に設けられている。そしてバネ４０は、第一反射鏡２０ｆの開口端部の周囲に渡された２本またはそれ以上の引張線４１により第二反射鏡３０ｄ及び突出部１６側に押圧されている。このようにしても、発光管１０に第二反射鏡３０ｄを固定することができる。なお、バネ４０が封止部１３の外周に対して隙間を有して巻線されているため、封止部１３が熱により膨張してもクリアランスがあるため問題にはならない。また、必要に応じて、第二反射鏡３０ｄの固定に接着剤を併用してもよい。
（実施形態５）
図１０は図９の構成を一部変更した本発明の実施形態５に係る照明装置１００Ｃである。ここでは、バネ４０を導電性巻線により構成し、該導電性巻線の一端をバネ４０が配置されている側と反対側の封止部１３から出るリード線１５に配線４２を介して電気的に接続し、バネ４０を発光管１０の始動時の絶縁破壊のトリガ線として作用させるようにしたものである。こうすることで、配線４２を利用して第二反射鏡３０ｆを発光管１０に固定できると共に、発光管１０の点灯性を向上させることができる。
以上説明した接着剤やバネに加えて、封止部１３、第二反射鏡３０ｆのいずれか又は両方に融着部を設けておき、それらをレーザーあるいはガスバーナーを用いて融着させることにより、封止部１３に第二反射鏡３０ｆを固着することもできる。レーザー使用の場合にはレーザー照射部分が黒化する場合もあるが、固着場所が封止部１３なのでそれはここでは問題とならない。なお、先述した、発光管１０、第一反射鏡２０ｆ、第二反射鏡３０ｆのアライメント方法は、第二反射鏡３０ｆの固定手段の相違にかかわらず照明装置１００での製造方法を適用できる。
上記照明装置１００，１００Ａ、１００Ｂ、１００Ｃ、１００Ｄによれば、発光管１０から出射された光の大部分を無駄にすることなく利用に供させることが可能となる。また、これらの照明装置は、装置の小型化、冷却性能の向上にも貢献する。
図１１は上記いずれかの照明装置を備えたプロジェクタの構成図である。以下には照明装置１００を搭載させたプロジェクタについて説明する。この光学系は、発光管１０、第一反射鏡２０ａ及び第二反射鏡３０ａからなる照明装置１００と、照明装置１００からの出射光を所定の光に調整する手段とを備えた照明光学系３００と、ダイクロイックミラー３８２，３８６、反射ミラー３８４等を有する色光分離光学系３８０と、入射側レンズ３９２、リレーレンズ３９６、反射ミラー３９４，３９８を有するリレー光学系３９０と、各色光に対応するフィールドレンズ４００，４０２，４０４及び光変調装置としての液晶パネル４１０Ｒ，４１０Ｇ，４１０Ｂと、色光合成光学系であるクロスダイクロイックプリズム４２０と、投写レンズ６００とを備えている。
次に、上記構成のプロジェクタの作用を説明する。まず、発光管１０の発光部１１の中心より後側からの出射光は、第一反射鏡２０ａにより反射されて照明装置１００の前方に向かう。また、発光部１１の中心より前側からの出射光は、第二反射鏡３０ａにより反射されて第一反射鏡２０ａに戻った後、第一反射鏡２０ａにより反射されて照明装置１００の前方に向かう。
照明装置１００を出た光は凹レンズ２００に入り、そこで光の進行方向が照明光学系３００の光軸１とほぼ平行に調整された後、インテグレータレンズを構成する第１レンズアレイ３２０の各小レンズ３２１に入射する。第１レンズアレイ３２０は、入射光を小レンズ３２１の数に応じた複数の部分光束に分割する。第１レンズアレイ３２０を出た各部分光束は、その各小レンズ３２１にそれぞれ対応した小レンズ３４１を有してなるインテグレータレンズを構成する第２レンズアレイ３４０に入射する。そして、第２レンズアレイ３４０からの出射光は、偏光変換素子アレイ３６０の対応する偏光分離膜（図示省略）の近傍に集光される。その際、遮光板（図示省略）により、偏光変換素子アレイ３６０への入射光のうち、偏光分離膜に対応する部分にのみ光が入射するように調整される。
偏光変換素子アレイ３６０では、そこに入射した光束が同じ種類の直線偏光に変換される。そして、偏光変換素子アレイ３６０で偏光方向が揃えられた複数の部分光束は重畳レンズ３７０に入り、そこで液晶パネル４１０Ｒ，４１０Ｇ，４１０Ｂを照射する各部分光束が、対応するパネル面上で重さなり合うように調整される。
色光分離光学系３８０は、第１及び第２ダイクロイックミラー３８２，３８６を備え、照明光学系から射出される光を、赤、緑、青の３色の色光に分離する機能を有している。第１ダイクロイックミラー３８２は、重畳レンズ３７０から射出される光のうち赤色光成分を透過させるとともに、青色光成分と緑色光成分とを反射する。第１ダイクロイックミラー３８２を透過した赤色光は、反射ミラー３８４で反射され、フィールドレンズ４００を通って赤色光用の液晶パネル４１０Ｒに達する。このフィールドレンズ４００は、重畳レンズ３７０から射出された各部分光束をその中心軸（主光線）に対して平行な光束に変換する。他の液晶パネル４１０Ｇ，４１０Ｂの前に設けられたフィールドレンズ４０２，４０４も同様に作用する。
さらに、第１ダイクロイックミラー３８２で反射された青色光と緑色光のうち、緑色光は第２ダイクロイックミラー３８６によって反射され、フィールドレンズ４０２を通って緑色光用の液晶パネル４１０Ｇに達する。一方、青色光は、第２ダイクロイックミラー３８６を透過し、リレー光学系３９０、すなわち、入射側レンズ３９２、反射ミラー３９４、リレーレンズ３９６、及び反射ミラー３９８を通り、さらにフィールドレンズ４０４を通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４０４に伝えるためである。なお、リレー光学系３９０は、３つの色光のうちの青色光を通す構成としたが、赤色光等の他の色光を通す構成としてもよい。
３つの液晶パネル４１０Ｒ，４１０Ｇ，４１０Ｂは、入射した各色光を、与えられた映像情報に従って変調し、各色光の画像を形成する。なお、３つの液晶パネル４１０Ｒ，４１０Ｇ，４１０Ｂの光入射面側、光出射面側には、通常、偏光板が設けられている。
上記の各液晶パネル４１０Ｒ，４１０Ｇ，４１０Ｂから射出された３色の変調光は、これらの変調光を合成してカラー画像を形成する色光合成光学系としての機能を有するクロスダイクロイックプリズム４２０に入る。クロスダイクロイックプリズム４２０には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための合成光が形成される。そして、クロスダイクロイックプリズム４２０で合成された合成光は、最後に投写レンズ６００に入り、そこからスクリーン上にカラー画像として投写表示される。
上記プロジェクタによれば、そこに用いられている発光管１０、第一反射鏡２０ａ及び第二反射鏡３０ａからなる照明装置１００（又は１００Ａ，１００Ｂ，１００Ｃ，１００Ｄ）のすでに説明した作用により、プロジェクタの小型化と高輝度化を共に達成することができる。
なお、上記実施形態では、透過型の液晶パネルを用いたプロジェクタを例に説明したが、本発明は、反射型の液晶パネルを用いたプロジェクタにも適用することが可能である。ここで、「透過型」とは、液晶パネル等の光変調装置が光を透過するタイプであることを意味しており、「反射型」とは、それが光を反射するタイプであることを意味している。また、光変調装置は液晶パネルに限られるものではなく、例えば、マイクロミラーを用いた装置であってもよい。さらに、本発明の照明光学系は、観察する方向から投写を行う前面投写型プロジェクタにも、また、観察する方向とは反対側から投写を行う背面投写型プロジェクタにも適用可能である。
【図１】
2004020898.tif 000003
【図２】
2004020898.tif 000004
2004020898.tif 000005
2004020898.tif 000006
2004020898.tif 000007
【図６】
2004020898.tif 000008
2004020898.tif 000009
【図８】
2004020898.tif 000010
【図９】
2004020898.tif 000011
【図１０】
2004020898.tif 000012
【図１１】
2004020898.tif 000013
【国際調査報告】
2004020898.tif 000014
2004020898.tif 000015
2004020898.tif 000016
2004020898.tif 000017